(57)【特許請求の範囲】
【請求項１】
受信部と、抽出部と、提供部と、を含む検索結果提供システムにおける検索結果提供方法であって、
前記受信部が辞典検索要求に応じて検索語を受信し、
前記抽出部がデータベースから前記検索語に関連する字幕情報および前記字幕情報とマッチングする映像データを抽出し、
前記提供部が前記字幕情報および前記映像データを提供すること、
を含み、
前記抽出することは、前記検索語または前記検索語の同意語を含む字幕情報および前記字幕情報とマッチングする映像データを抽出することを特徴とする検索結果提供方法。
【請求項２】
前記抽出することは、前記抽出部が前記映像データのオーディオ情報を用いて決定された字幕情報および前記字幕情報とマッチングする映像データを抽出することを特徴とする請求項１に記載の検索結果提供方法。
【請求項３】
前記抽出することは、前記抽出部が前記映像データを構成している複数のフレームのうち前記字幕情報とマッチングする現在のフレーム、前記現在のフレームに連続する前のフレーム、または後のフレームを抽出することを特徴とする請求項１に記載の検索結果提供方法。
【請求項４】
前記抽出することは、前記検索語が第１の国の言語である場合、前記抽出部が前記第１の国の言語とは異なる第２の国の言語で表された字幕情報および前記字幕情報とマッチングする映像データを抽出することを特徴とする請求項１に記載の検索結果提供方法。
【請求項５】
前記提供することは、前記提供部が前記字幕情報および前記映像データを再生するための表示情報を共に提供することを特徴とする請求項１に記載の検索結果提供方法。
【請求項６】
前記字幕情報および前記映像データを提供することは、前記提供部が前記検索語の辞典検索結果の例文として字幕情報および前記字幕情報に対応する映像データを提供することを特徴とする請求項１に記載の検索結果提供方法。
【請求項７】
請求項１乃至請求項６のいずれか１項の方法を実行するためのプログラムが記録されたコンピュータで読み出し可能な記録媒体。
【請求項８】
辞典検索要求に応じて検索語を受信する受信部と、
データベースから前記検索語に関連する字幕情報および前記字幕情報とマッチングする映像データを抽出する抽出部と、
前記字幕情報および前記映像データを提供する提供部と、
を備え、
前記抽出部は、前記検索語または前記検索語の同意語を含む字幕情報および前記字幕情報とマッチングする映像データを抽出することを特徴とする検索結果提供システム。
【請求項９】
前記抽出部は、前記映像データのオーディオ情報を用いて決定された字幕情報および前記字幕情報とマッチングする映像データを抽出することを特徴とする請求項８に記載の検索結果提供システム。
【請求項１０】
前記抽出部は、前記映像データを構成している複数のフレームのうち、前記字幕情報とマッチングする現在のフレーム、前記現在のフレームに連続する前のフレーム、または後のフレームを抽出することを特徴とする請求項８に記載の検索結果提供システム。
【請求項１１】
前記抽出部は、前記検索語が第１の国の言語である場合、前記第１の国の言語とは異なる第２の国の言語で表された字幕情報及び前記字幕情報とマッチングする映像データを抽出することを特徴とする請求項８に記載の検索結果提供システム。
【請求項１２】
前記提供部は、前記字幕情報および前記映像データを再生するための表示情報を共に提供することを特徴とする請求項８に記載の検索結果提供システム。
【請求項１３】
前記提供部は、前記検索語の辞典検索結果の例文として字幕情報および前記字幕情報に対応する映像データを提供することを特徴とする請求項８に記載の検索結果提供システム。
【発明の詳細な説明】
【技術分野】
【０００１】
本発明は、受信した検索語に該当する検索結果を提供する方法およびシステムに関し、受信した検索語に対する詳細検索結果を提供する方法およびシステムに関する。
【背景技術】
【０００２】
一般に、数多くの語学学習者は電子辞典などを用いて単語を検索する。最近は、インターネットの発達に伴って大部分の人々が日常生活においてインターネットを用いてポータルサイトに接続し、接続されたポータルサイトから提供されるインターネット辞典を用いて単語を検索する。特に、単語検索時に日常生活での単語の活用および単語の意味を把握するために検索した単語の例文が提供される。
【０００３】
従来における電子辞典およびインターネット辞典では、テキスト状の例文を提供する。このため、検索結果として提供される例文だけでは例文が表している状況、すなわち、単語が含んでいるニュアンスをユーザが理解することが難しい。さらに、検索結果として提供される例文に検索が必要な新しい単語が含まれている場合には、例文がユーザの理解を妨害する場合もある。
【０００４】
したがって、ユーザが入力した検索語に対する検索結果の提供において、検索結果をユーザが理解できるようにする方法が求められている。
【発明の概要】
【発明が解決しようとする課題】
【０００５】
本発明の目的は、字幕情報を用いてユーザが入力した検索語の検索結果を提供することによって、検索結果に対するユーザの理解を図ることができる検索結果提供方法およびシステムを提供することにある。
【０００６】
また、本発明の他の目的は、字幕情報とマッチングする映像データとを検索語の検索結果として提供することによって、検索語の活用に対するユーザの理解を図ることができる検索結果提供方法およびシステムを提供することにある。
【０００７】
また、本発明の更なる目的は、字幕情報および字幕情報とマッチングする映像データを検索語の例文として提供することによって、検索語の検索結果として提供される例文の正確度を向上させることができる方法およびシステムを提供することにある。
【課題を解決するための手段】
【０００８】
本発明の一実施形態に係る検索結果提供方法は、検索語を受信し、データベースから前記検索語に関連する字幕情報および該字幕情報とマッチングする映像データを抽出し、前記字幕情報および前記映像データを提供することを含んでもよい。
【０００９】
また、前記抽出することは、前記検索語または前記検索語の同意語を含む字幕情報および該字幕情報とマッチングする映像データを抽出してもよい。
【００１０】
また、前記抽出することは、前記映像データのオーディオ情報を用いて決定された字幕情報および該字幕情報とマッチングする映像データを抽出してもよい。
【００１１】
また、前記抽出することは、前記映像データを構成している複数のフレームのうち前記字幕情報とマッチングする現在のフレーム、前記現在のフレームに連続する前のフレーム、または後のフレームを抽出してもよい。
【００１２】
また、前記抽出することは、前記検索語が第１の国の言語である場合、第１の国の言語とは異なる第２の国の言語で表された字幕情報および該字幕情報とマッチングする映像データを抽出してもよい。
【００１３】
また、前記提供することは、前記字幕情報および前記映像データを再生するための表示情報を共に提供してもよい。
【００１４】
また、提供することは、辞典検索要求に応じて前記検索語を受信した場合、前記検索語の辞典検索結果の例文として、字幕情報および前記字幕情報に対応する映像データを提供してもよい。
【００１５】
さらに、本発明の一実施形態に係る検索結果提供システムは、検索語を受信する受信部と、データベースから前記検索語に関連する字幕情報および該字幕情報とマッチングする映像データを抽出する抽出部と、前記字幕情報および前記映像データを提供する提供部とを備えてもよい。
【００１６】
また、前記抽出部は、前記検索語または前記検索語の同意語を含む字幕情報および該字幕情報とマッチングする映像データを抽出してもよい。
【００１７】
また、前記抽出部は、前記映像データのオーディオ情報を用いて決定された字幕情報および該字幕情報とマッチングする映像データを抽出してもよい。
【００１８】
また、前記抽出部は、前記映像データを構成している複数のフレームのうち、前記字幕情報とマッチングする現在のフレーム、前記現在のフレームに連続する前のフレーム、または後のフレームを抽出してもよい。
【００１９】
また、前記抽出部は、前記検索語が第１の国の言語である場合、第１の国の言語とは異なる第２の国の言語で表された字幕情報および該字幕情報とマッチングする映像データを抽出してもよい。
【００２０】
また、前記提供部は、前記字幕情報および前記映像データを再生するための表示情報を共に提供してもよい。
【００２１】
また、前記提供部は、辞典検索要求に応じて前記検索語を受信した場合、前記検索語の辞典検索結果の例文として、字幕情報および前記字幕情報に対応する映像データを提供してもよい。
【発明の効果】
【００２２】
本発明の一実施形態によると、字幕情報を用いてユーザが入力した検索語の検索結果を提供することによって、検索結果に対するユーザの理解を図ることができる。
【００２３】
また、字幕情報および該字幕情報とマッチングする映像データを検索語の検索結果として提供することによって、検索語の活用に対するユーザの理解を図ることができる。
【００２４】
また、字幕情報および該字幕情報とマッチングする映像データを検索語の例文として提供することによって、検索語の検索結果として提供される例文の正確度を向上させることができる。
【図面の簡単な説明】
【００２５】
【図１】本発明の一実施形態に係る検索結果を提供する全体的な構成を示す図である。
【図２】本発明の一実施形態に係る検索結果提供システムの構成を示すブロック図である。
【図３】本発明の一実施形態に係る検索語に関連する字幕情報とマッチングする映像データとを提供する構成を説明するために提供される図である。
【図４】本発明の一実施形態に係る検索語に関連する字幕情報とマッチングする映像データとを提供する構成を説明するために提供される図である。
【図５】本発明の一実施形態に係る検索結果提供システムの動作を説明するために提供されるフローチャートである。
【発明を実施するための形態】
【００２６】
以下、本発明の実施形態を添付する図面を参照しながら詳説する。ただし、本発明が実施形態によって制限又は限定されることはない。各図面に提示される同一の参照符号は同一の部材を示す。
【００２７】
図１は、本発明の一実施形態に係る検索結果を提供する全体的な構成を示す図である。
【００２８】
図１に示すように、検索結果提供システム２０は、受信した検索語１０の検索結果をＤＢ（Ｄａｔａｂａｓｅ）３０から抽出してもよい。ここで、検索結果提供システム２０は、検索語１０の検索結果であって、検索語に関連する字幕情報および映像データをＤＢ３０から抽出してもよい。ここで、抽出された映像データは、検索語に関連する字幕情報とマッチングする映像データであってもよい。
【００２９】
一例として、インターネット辞典で単語を検索する場合、ユーザから入力された検索語１０を受信すると、検索結果提供システム２０は、受信した検索語に関連する字幕情報および字幕情報とマッチングする映像データをＤＢ３０から抽出してもよい。このように、ＤＢ３０には字幕情報および映像データがマッチングされて格納されてもよい。ここで、映画が映像として用いられる場合は、映画の字幕が字幕情報に用いられてもよい。
【００３０】
他の例として、検索結果提供システム２０は、ウェブ基盤の辞典検索の他に、スマートフォンなどの移動端末で提供される辞典検索および電子辞典検索にも用いられてもよい。すなわち、移動端末または電子辞典によって検索語が受信された場合、検索結果提供システム２０は、受信した検索語に関連する字幕情報および字幕情報とマッチングする映像データを抽出して辞典検索結果として提供してもよい。
【００３１】
以下、図２〜図４を参照して受信した検索語に関連する字幕情報および字幕情報とマッチングする映像データを抽出して提供する過程に対して詳説する。
【００３２】
図２は、本発明の一実施形態に係る検索結果提供システムの構成を示すブロック図である。
【００３３】
図２に示すように、検索結果提供システム２００は、受信部２１０、抽出部２２０、提供部２３０を備えてもよい。
【００３４】
ここで、ＤＢ１００は、検索結果提供システム２００とは別に外部に位置してもよく、検索結果提供システム２００に含まれてもよい。ＤＢ１００が検索結果提供システム２００の外部に位置する場合、検索結果提供システム２００は、有線または無線ネットワークによって通信接続されたＤＢ１００から検索語に関連する字幕情報および字幕情報とマッチングする映像データを抽出してもよい。一例として、映像データとして映画、アニメーション、広告映像、ドラマ、教育映像などの動画を用いてもよい。
【００３５】
まず、受信部２１０は、ユーザ入力によって検索語を受信してもよい。一例として、受信部２１０は、ポータルサイトにおいて提供される検索ウィンドウを介して入力された検索語を受信してもよい。これによって、抽出部２２０は、受信した検索語の検索結果をデータベース（ＤＢ）１００から抽出してもよい。ここで、抽出部２２０は、検索結果として、受信した検索語に関連する字幕情報および該字幕情報とマッチングする映像データを抽出してもよい。
【００３６】
一例として、抽出部２２０は、ＤＢ１００に格納された字幕情報から受信した検索語を含む字幕情報を決定してもよい。また、抽出部２２０は、ＤＢ１００から検索語を含む字幕情報とマッチングする映像データを抽出してもよい。
【００３７】
ここで、抽出部２２０は、映像データを構成している複数のフレームのうち検索語を含む字幕情報とマッチングする現在のフレームを抽出してもよい。また、抽出部２２０は、現在のフレームが映像データを構成している開始フレームまたは最後フレームではない場合、現在のフレームに連続する前のフレームおよび後のフレームを抽出してもよい。次に、抽出部２２０は、抽出した前のフレーム、現在のフレーム、および後のフレームを接続してクリップ映像を生成してもよい。一例として、前のフレームは現在のフレームに連続する以前のｎ秒（ｎは自然数）の分量のフレームであり、後のフレームは現在のフレームに連続する以後のｎ秒の分量のフレームであってもよい。この場合、ユーザは、入力した検索語に対応する場面で一定時間の前後の状況を把握することで前記場面での状況の誤解を防止することができる。
【００３８】
一方、現在のフレームが開始フレームである場合、抽出部２２０は現在のフレームに連続する後のフレームを抽出してもよい。また、抽出部２２０は、抽出した現在のフレームおよび後のフレームを接続してクリップ映像を生成してもよい。一方、現在のフレームが最後フレームである場合、抽出部２２０は現在のフレームに連続する前のフレームを抽出してもよい。また、抽出部２２０は、抽出した前のフレームおよび現在のフレームを接続してクリップ映像を生成してもよい。
【００３９】
他の例として、ＤＢ１００に格納された字幕情報のうち受信した検索語を含む字幕情報がない場合、抽出部２２０は、ＤＢ１００に格納された字幕情報のうち検索語の同意語を含む字幕情報を決定してもよい。また、抽出部２２０は、同意語を含む字幕情報とマッチングする映像データを抽出してもよい。
【００４０】
ここで、抽出部２２０は、映像データを構成している複数のフレームのうち検索語の同意語を含む字幕情報とマッチングする現在のフレームを抽出してもよい。また、抽出部２２０は現在のフレームが開始フレームであるか、最後フレームであるか、あるいは開始フレームと最後フレームとの間に位置するフレームであるかに応じて、現在のフレームに連続する前のフレームおよび後のフレームのうち少なくとも１つを抽出してもよい。また、抽出部２２０は、前のフレームおよび後のフレームのうち少なくとも１つと現在のフレームとを接続してクリップ映像を生成してもよい。
【００４１】
他の例として、ＤＢ１００に字幕情報が格納されていない場合、抽出部２２０は、ＤＢ１００に格納された映像データのオーディオ情報を用いて字幕情報をフレームごとに生成してもよい。また、抽出部２２０は、生成されたフレームごとの字幕情報のうち検索語または検索語の同意語を含む字幕情報を決定してもよい。次に、抽出部２２０は、検索語または検索語の同意語を含む字幕情報とマッチングする映像データをＤＢ１００から抽出してもよい。ここで、抽出部２２０は、映像データを構成している複数のフレームのうち、オーディオ情報に応じて決定された字幕情報とマッチングする現在のフレームを抽出してもよい。また、抽出部２２０は現在のフレームが開始フレームであるか、最後フレームであるか、あるいは開始フレームと最後フレームとの間に位置するフレームであるかに応じて、現在のフレームに連続する前のフレームおよび後のフレームのうち少なくとも１つを抽出してもよい。次に、抽出部２２０は、前のフレームおよび後のフレームのうち少なくとも１つと現在のフレームとを接続してクリップ映像を生成してもよい。
【００４２】
提供部２３０は、抽出した映像データおよび字幕情報を検索語の検索結果として提供してもよい。ここで、提供部２３０は、ウェブページ上に検索語の検索結果として、クリップ映像を提供してもよい。
【００４３】
一例として、図３に示すように、検索語としてＡＡＡが入力された場合、提供部２３０は、検索語ＡＡＡ３１０、検索語に関連する字幕情報３３０、および字幕情報とマッチングする映像データ３２０をウェブページ上に表示してもよい。ここで、検索語に関連する字幕情報３３０および映像データ３２０は、検索語ＡＡＡ３１０の例文に用いられてもよい。このように検索語ＡＡＡ３１０の例文に字幕情報３３０が用いられ、字幕情報３３０とマッチングする映像データ３２０を提供することによって、例文が表している状況が何を意味するかをユーザが容易に理解することができる。
【００４４】
他の例として、提供部２３０は、検索語ＡＡＡに関連する字幕情報を含む映像データとは別に映像データの周辺に字幕情報をウェブページ上に表示してもよい。すなわち、図３に示すように、提供部２３０は、映像および字幕の全てを含む映像データを再生することによるユーザの混乱を防止するために、映像データの上、下、左、右のいずれか１つに字幕情報３３０を付加的に表示してもよい。
【００４５】
他の例として、提供部２３０は、検索語に関連する字幕情報および映像データを再生するための表示情報を提供してもよい。ここで、図４に示すように、提供部２３０は、検索語４１０、発音記号４２０、表示情報４３０、および検索語に関連する字幕情報４４０をウェブページ上に表示してもよい。表示情報４３０がユーザによって選択されると、提供部２３０は、図３に示すように映像データ３２０をウェブページ上に表示してもよい。
【００４６】
また、提供部２３０は、辞典検索要求に応じて検索語を受信した場合、検索語の辞典検索の結果の例文として、字幕情報および字幕情報に対応する映像データを提供してもよい。これによって、辞典検索のために検索語が入力された場合、ユーザには、検索語が実際に用いられる例示が字幕情報に応じて提供される一方、このような字幕情報が表す状況が更に理解できるよう字幕情報に対応する映像データも共に提供されてもよい。
【００４７】
以上では、受信された検索語の検索結果として検索語に関連する字幕情報および該字幕情報とマッチングする映像データを抽出して提供することを説明した。ここで、検索語と字幕情報とは同じ国の言語であってもよく、異なる国の言語であってもよい。一例として、受信された検索語が韓国語、日本語、ドイツ語、フランス語などの第１の国の言語である場合、抽出部２２０は、検索語と同じ第１の国の言語で表された字幕情報および該字幕情報とマッチングする映像データを抽出してもよい。
【００４８】
また、受信された検索語が韓国語、日本語、中国語、ドイツ語、フランス語などの第の１国の言語である場合、抽出部２２０は、英語、スペイン語、アラビア語などの第２の国の言語で表された字幕情報および該字幕情報とマッチングする映像データを抽出してもよい。ここで、第２の国の言語は、第１の国の言語とは異なる種類の言語を意味する。
【００４９】
図５は、本発明の一実施形態に係る検索結果提供システムの動作を説明するために提供されるフローチャートである。
【００５０】
図５に示すように、受信部２１０は、ユーザから入力された検索語を受信してもよい（Ｓ５１０）。
【００５１】
次に、抽出部２２０は、ＤＢ１００から受信された検索語に関連する字幕情報が存在するかを検索してもよい（Ｓ５２０）。ここで、ＤＢ１００は、検索結果提供システム２００内に含まれてもよく、検索結果提供システム２００の外部に位置してネットワークによって検索結果提供システム２００と通信してもよい。
【００５２】
次に、検索語に関連する字幕情報が存在する場合（Ｓ５２０：はい）、抽出部２２０は、検索語に関連する字幕情報を決定し、決定された字幕情報とマッチングする映像データを抽出してもよい（Ｓ５３０）。一例として、抽出部２２０は、ＤＢ１００に格納された字幕情報のうち、受信された検索語を含む字幕情報を検索語に関連する字幕情報として決定してもよい。他の例として、抽出部２２０は、ＤＢ１００に格納された字幕情報のうち受信された検索語の同意語を含む字幕情報を検索語に関連する字幕情報として決定してもよい。
【００５３】
ここで、ＤＢ１００に検索語に関連する字幕情報が存在しない場合（Ｓ５２０：いいえ）、抽出部２２０は、映像データのオーディオ情報を用いて字幕情報を生成してもよい（Ｓ５４０）。一例として、抽出部２２０は字幕情報をフレームごとに生成してもよい。
【００５４】
また、抽出部２２０は、生成された字幕情報のうち検索語に関連する字幕情報を決定し、決定された字幕情報とマッチングする映像データをＤＢ１００から抽出してもよい（Ｓ５５０）。
【００５５】
ここで、抽出部２２０は、映像データを構成している複数のフレームのうち決定された字幕情報とマッチングする現在のフレームをＤＢ１００から抽出してもよい（Ｓ５６０）。
【００５６】
また、抽出部２２０は、ＤＢ１００から現在のフレームに連続する前のフレームおよび後のフレームのうち少なくとも１つを抽出してもよい（Ｓ５７０）。
【００５７】
一例として、現在のフレームが開始フレームである場合、抽出部２２０は、現在のフレームに連続する後のフレームを抽出してもよい。他の例として、現在のフレームが最後フレームである場合、抽出部２２０は現在のフレームに連続する前のフレームを抽出してもよい。更なる例として、現在のフレームが開始フレームと最後フレームとの間に位置する場合、抽出部２２０は、現在のフレームに連続する前のフレームおよび後のフレームを抽出してもよい。
【００５８】
次に、抽出部２２０は、抽出された現在のフレームと、前のフレームおよび後のフレームのうち少なくとも１つのフレームとを接続してクリップ映像を生成してもよい（Ｓ５８０）。ここで、抽出部２２０は、字幕情報が映像に含まれないようにクリップ映像を生成してもよく、字幕情報が映像に含まれるようにクリップ映像を生成してもよい。
【００５９】
これによって、提供部２３０は、検索語に関連する字幕情報および該字幕情報とマッチングする映像データを提供してもよい。ここで、提供部２３０は、検索語の検索結果として生成されたクリップ映像をウェブページ上に提供してもよい。
【００６０】
一例として、クリップ映像に字幕情報が含まれていない場合、図３に示すように、提供部２３０は、検索語ＡＡＡ３１０、クリップ映像３２０、および検索語ＡＡＡを含む字幕情報３３０をウェブページ上に表示してもよい。ここで、クリップ映像に字幕情報が含まれる場合、提供部２３０は、図３に示すクリップ映像３２０に検索語ＡＡＡを含む字幕情報３３０が含まれた状態でウェブページ上に表示してもよい。
【００６１】
また、提供部２３０は、字幕情報および映像データを再生するための表示情報を共に提供してもよい（Ｓ５９０）。ここで、提供部２３０は、辞典検索要求に応じて検索語を受信した場合、検索語の辞典検索結果の例文として字幕情報および字幕情報に対応する映像データを提供してもよい。
【００６２】
一例として、図４に示すように、提供部２３０は、生成したクリップ映像を再生するための表示情報４３０をウェブページ上に表示してもよい。ここで、提供部２３０は、検索語４１０の検索結果として検索語に関連する字幕情報４４０および表示情報４３０を共に表示してもよい。ユーザによって表示情報４３０が選択されると、提供部２３０は、字幕情報４４０およびクリップ映像をウェブページ上に共に表示してもよい。ここで、クリップ映像に字幕情報が含まれている場合、提供部２３０は、ウェブページ上に字幕情報４４０を別に表示することなく、クリップ映像のみを表示してもよい。
【００６３】
一方、ステップＳ５３０およびステップＳ５５０において、受信された検索語が第１の国の言語である場合、抽出部２２０は、検索語と同様に第１の国の言語で表された字幕情報及び該字幕情報とマッチングする映像データを抽出してもよく、第２の国の言語で表された字幕情報および該字幕情報とマッチングする映像データを抽出してもよい。ここで、第２の国の言語は、第１の国の言語とは異なる種類の言語を意味する。
【００６４】
今まで、図２ないし図５を参照して、検索語の検索結果として映像データと字幕情報とを別に提供することについて説明したが、字幕情報は映像データに含まれてもよい。言い換えれば、提供部２３０は、字幕情報を別に提供することなく、映像データと字幕情報とを同期をとって合成した後、映像データの再生時に字幕情報を共に提供してもよい。ここで、提供部２３０は、映像データと字幕情報との間の同期情報に基づいて映像の内容に対応して表示される字幕情報の色を変更してウェブページ上に表示してもよい。一例として、字幕情報が白色で表示される場合、提供部２３０は、時間の経過につれて字幕情報を白色から黄色に変更して表示してもよい。これによって、ウェブページ上において既に再生された映像データに対応する字幕情報は黄色で表示され、これから再生する映像データに対応する字幕情報は白色で表示されてもよい。
【００６５】
また、以上では、検索語の検索結果として検索語に関連する字幕情報および該字幕情報とマッチングする映像データを提供することについて説明したが、提供部２３０は、検索語のディスクリプション（ｄｅｓｃｒｉｐｔｉｏｎ）を提供してもよい。一例として、抽出部２２０は、ＤＢ１００から受信された検索語ＡＡＡとマッチングするディスクリプションを抽出してもよい。これによって、提供部２３０は、抽出したＡＡＡのディスクリプションと検索語ＡＡＡとを共にウェブページ上に表示してもよい。ここで、ディスクリプションは、検索語ＡＡＡを表す辞書的な意味として、テキスト形態でウェブページ上に表示されてもよい。
【００６６】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【００６７】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００６８】
したがって、本発明の範囲は、開示された実施形態に限定して定められるものではなく、特許請求の範囲だけではなく特許請求の範囲と均等なものなどによって定められるものである。
【符号の説明】
【００６９】
２００      検索結果提供システム
２１０      受信部
２２０      抽出部
２３０      提供部
１００      ＤＢ
【図１】
0005832815.tif 000002
【図２】
0005832815.tif 000003
【図３】
0005832815.tif 000004
【図４】
0005832815.tif 000005
【図５】
0005832815.tif 000006